(57)【要約】【課題】ログイン状態の場合は画面操作を妨げず、ログイン状態でない場合はすぐに用紙無し状態を気付かせることを目的とする。【解決手段】用紙無し状態になった際に、画像形成装置にログイン中でない場合、用紙無し画面を表示する。用紙無し状態になった際に、画像形成装置にログイン中である場合、画像形成に係る設定を行う機能画面領域とは別のステータス通知領域に用紙無しであることを表示する。【選択図】図４
2020137002.tif 000002
【特許請求の範囲】
【請求項１】
画像形成装置であって、
用紙無し状態になった際に、前記画像形成装置にログイン中でない場合、用紙無し画面を表示し、用紙無し状態になった際に、前記画像形成装置にログイン中である場合、画像形成に係る設定を行う機能画面領域とは別のステータス通知領域に用紙無しであることを表示する表示制御手段を有する画像形成装置。
【請求項２】
用紙無し状態になった際に、前記画像形成装置にログイン中である場合、前記制御手段は、前記ステータス通知領域に用紙無しであることと、前記用紙無し画面へ誘導するための情報と、を表示する表示制御手段を有する請求項１に記載の画像形成装置。
【請求項３】
前記用紙無し画面へ誘導するための情報に応じた所定の操作が行われた場合、前記表示制御手段は、前記用紙無し画面を表示する請求項２に記載の画像形成装置。
【請求項４】
用紙無し状態になった際に、前記画像形成装置にログイン中である場合、ジョブのオーナーとログインユーザーとが異なるか否かを判定する判定手段を更に有し、
前記判定手段により前記ジョブのオーナーと前記ログインユーザーとが同一であると判定された場合、前記表示制御手段は、前記用紙無し画面を表示し、
前記判定手段により前記ジョブのオーナーと前記ログインユーザーとが同一でないと判定された場合、前記表示制御手段は、前記ステータス通知領域に用紙無しであることを表示する請求項１乃至３の何れか１項に記載の画像形成装置。
【請求項５】
画像形成装置が実行する情報処理方法であって、
用紙無し状態になった際に、前記画像形成装置にログイン中でない場合、用紙無し画面を表示する工程と、
用紙無し状態になった際に、前記画像形成装置にログイン中である場合、画像形成に係る設定を行う機能画面領域とは別のステータス通知領域に用紙無しであることを表示する工程と、
を含む情報処理方法。
【請求項６】
コンピュータを、請求項１乃至４の何れか１項に記載の画像形成装置の各手段として機能させるためのプログラム。
【発明の詳細な説明】
【技術分野】
【０００１】
本発明は、画像形成装置、情報処理方法及びプログラムに関する。
【背景技術】
【０００２】
現在広く普及している複写機、プリンタ、ＦＡＸ等の画像形成装置では、記録用紙を格納する用紙格納部（給紙段）を持ち、印刷を伴うジョブが投入されるとその用紙格納部から給紙した用紙上に画像形成を行い、画像形成装置機外に排出する構成を取っている。画像形成装置は、ジョブ実行中に用紙切れが発生するとジョブを中断し、用紙の補給及びユーザー指示を待機する。また、画像形成装置は、ユーザーに対して用紙切れによるジョブ中断中であることと用紙の補給手順とをポップアップで通知する。ただし、デバイス画面を操作しているユーザーの操作性を損なわないように、ドライバからのジョブの投入の場合は、画像形成装置は、特定の画面（状況確認）の表示時にポップアップを表示する。画像形成装置は、特定の画面への誘導を、ステータスライン等の汎用通知エリアに表示する。
【先行技術文献】
【特許文献】
【０００３】
【特許文献１】特開２００４−０９４３１１号公報
【発明の概要】
【発明が解決しようとする課題】
【０００４】
しかしながら、汎用的な通知エリアの領域は狭いため、ユーザーが通知内容を気付きにくい。また、特許文献１のように、ログイン情報に紐づいて通知方法を変える技術もあるが、ログインしなければ用紙無しに気付けない。
【課題を解決するための手段】
【０００５】
本発明は、画像形成装置であって、用紙無し状態になった際に、前記画像形成装置にログイン中でない場合、用紙無し画面を表示し、用紙無し状態になった際に、前記画像形成装置にログイン中である場合、画像形成に係る設定を行う機能画面領域とは別のステータス通知領域に用紙無しであることを表示する表示制御手段を有する。
【発明の効果】
【０００６】
本発明によれば、ログイン状態の場合は画面操作を妨げず、ログイン状態でない場合はすぐに用紙無し状態を気付かせることができる。
【図面の簡単な説明】
【０００７】
【図１】複合機のハードウェア構成の一例を示す図である。
【図２】複合機の内部構造を示す縦断面図である。
【図３】操作部の配置構成例を示す図である。
【図４】実施形態１の用紙無し状態解消処理の一例を示すフローチャートである。
【図５】用紙無し画面の一例を示す図である。
【図６】ジョブ状況を表示する画面の一例を示す図である。
【図７】ジョブ状況画面へ誘導する文言を表示する一例を示す図である。
【図８】実施形態２の用紙無し状態解消処理の一例を示すフローチャートである。
【発明を実施するための形態】
【０００８】
以下、本発明の実施形態について図面に基づいて説明する。
【０００９】
＜実施形態１＞
（複合機１００の構成）
図１は、複合機１００のハードウェア構成の一例を示す図である。
ＣＰＵ１０１は、ＲＯＭ１０３又はＨＤＤ１０４に記憶された制御プログラムに従って、システムバス１０７に接続される各種装置とのアクセスを統括的に制御すると共に、コントローラ１２５内部で行われる各種処理についても統括的に制御する。ＲＡＭ１０２は、ＣＰＵ１０１が動作するためのシステムワークメモリであり、かつ、画像データを一時記憶するためのメモリでもある。ＲＯＭ１０３には装置のブートプログラム等が格納されている。ＨＤＤ１０４は、ハードディスクドライブであり、制御プログラム及び画像データを格納することが可能である。
操作部Ｉ／Ｆ１０５は、システムバス１０７と操作部１２１とを接続するためのインタフェース部である。この操作部Ｉ／Ｆ１０５は、操作部１２１に表示するための画像データをシステムバス１０７から受け取り操作部１２１に出力すると共に、操作部１２１から入力された情報をシステムバス１０７へと出力する。
Ｎｅｔｗｏｒｋ  Ｉ／Ｆ１０６は、ＬＡＮ及びＷＡＮ１２４をシステムバス１０７に接続し、他の機器と双方向にデータをやり取りする。
画像バス１２０は、画像データをやり取りするための伝送路であり、ＰＣＩバス又はＩＥＥＥ１３９４で構成されている。
【００１０】
スキャナ画像処理部１１２は、スキャナ部１２２からスキャナＩ／Ｆ１１１を介して受け取った画像データに対して、補正、加工、及び編集を行う。埋め込み情報抽出部１１０は、画像データから背景画像に埋め込まれているパターンの検出及び付加情報の抽出の処理を行う。
圧縮部１１３は、画像データを受け取り、データを圧縮する。伸張部１１５は、データを伸張した後にラスタ展開してプリンタ画像処理部１１７に送る。
プリンタ画像処理部１１７は、伸張部１１５から送られた画像データを受け取り、この画像データに付随させられている属性データを参照しながら画像データに画像処理を施す。また、指示がある場合は、プリンタ画像処理部１１７は、符号画像生成部１１６において生成された符号画像データを画像データに合成する。符号画像生成部１１６は、二次元コード画像、バーコード画像、情報埋め込み技術により生成された画像等の符号画像データを生成する。なお、符合画像の生成は、ＲＡＭ１０２内に格納されたプログラムをＣＰＵ１０１が実行することによって行われる。画像処理後の画像データは、プリンタＩ／Ｆ１１８を介してプリンタ部１２３に出力される。
画像変換部１１４は、画像データに対して回転や色空間変換、２値多値変換、画像合成、間引き等の所定の変換処理を施す。
ＲＩＰ部１０８は、ＰＤＬコードデータを基に生成された中間データを受け取り、ビットマップデータ（多値）を生成する。生成されたビットマップデータは圧縮部１０９で圧縮されて画像バス１２０へ送られる。
認証処理部１１９は、操作部１２１で入力されたユーザー情報を使用したユーザー、又はワークグループの認証に加えて、印刷ジョブ認証を行う。また、認証処理部１１９は、認証済みユーザー及びワークグループの情報の管理を行う。
フィニッシャ部１２６は、プリンタ部１２３から排出された複数枚のシートが束ねられたシート束に対してステイプル処理、パンチ処理、ソート等の各種後処理を行う。
【００１１】
（プリンタ部及びスキャナ部の構成）
図２は、複合機１００の内部構造を示す縦断面図である。図１と同一のものには同一の符号を付してある。複合機１００は図２に示すように、スキャナ部１２２、プリンタ部１２３、フィニッシャ部１２６及び操作部１２１を備える。ここでスキャナ部１２２とプリンタ部１２３とは一体的に構成されている。また、フィニッシャ部１２６は、プリンタ部１２３に対して着脱可能に構成されている。
スキャナ部１２２には、原稿給送装置（ＡＤＦ）２０１が搭載されている。ＡＤＦ２０１は、原稿トレイ上に上向きにセットされた原稿を先頭ページから順に１枚ずつ左方向へ給紙し、湾曲したパスを介してプラテンガラス２０２上の所定位置へ搬送する。プラテンガラス２０２上の所定位置へ搬送された原稿は、その左から右方向へスキャナユニット２０３により走査され、原稿上の画像が読み取られる。スキャナユニット２０３が原稿を走査する際には、原稿の読み取り面がスキャナユニット２０３のランプの光で照射され、その原稿からの反射光がミラーを介してレンズに導かれる。このレンズを通過した光は、イメージセンサ２０４の撮像面に光学像として結像される。この光学像は、イメージセンサ２０４によって画像データに変換されて出力される。イメージセンサ２０４から出力された画像データは、スキャナ画像処理部１１２において所定の処理が施された後にプリンタ部１２３の露光制御部２０５にビデオ信号として入力される。
【００１２】
次に、シートの片面に画像形成を行う場合について説明する。
プリンタ部１２３の露光制御部２０５は、入力されたビデオ信号に基づきレーザ光を変調して出力する。レーザ光はポリゴンミラー等により走査されながら感光ドラム２０６上に照射される。感光ドラム２０６上には、走査されたレーザ光に応じた静電潜像が形成される。
この感光ドラム２０６上の静電潜像は、現像器２０７から供給される現像剤によって現像剤像として可視像化される。また各カセット２０８、２０９、又は手差し給紙トレイ２１０からはシートが給紙される。この給紙されたシートは、その先端がレジストローラ２１１に突き当てられて一旦停止された後に、レーザ光の照射開始と同期したタイミングで、感光ドラム２０６と転写部２１２との間に搬送される。ここで、給紙されたシートの先端がレジストローラ２１１に突き当てられてシートが一旦停止されることによって、シートの斜行が補正される。
【００１３】
次いで、感光ドラム２０６に形成された現像剤像は、転写部２１２により、給紙されたシート上に転写される。現像剤像が転写されたシートは、定着部２１３へ搬送される。定着部２１３は、シートを熱圧することによって現像剤像をシート上に定着させる。定着部２１３を通過したシートは、搬送ローラ２１４により、フラッパ２１５へ向けて搬送され、フラッパ２１５により、排出ローラ２１６へ向けて搬送される。そしてシートは、排出ローラ２１６を経てプリンタ部１２３からフィニッシャ部１２６へ排出される。このときシートはフェイスアップの状態で排出される。
また、シートをフェイスダウン状態でフィニッシャ部１２６へ排出することもできる。このフェイスダウン排出を行う際には、定着部２１３を通過したシートを反転搬送パス２１７へ導くようにフラッパ２１５が切り換えられ、シートはフラッパ２１５を経て、各搬送ローラ２１８、２１９により、反転搬送パス２１７内へ搬送される。反転搬送パス２１７へ搬送されたシートはスイッチバックされ、これにより、シートの表裏が反転される。そして、表裏が反転されたシートは、排出ローラ２１６を経てプリンタ部１２３からフィニッシャ部１２６へ排出される。
【００１４】
フィニッシャ部１２６は、第１パンチユニット２２０と、ステイプルスタッカ部２２１とを有し、これらを用いて複数枚のシートが束ねられたシート束に対してステイプル処理、パンチ処理、ソート等の各種後処理を行うことができる。
第１パンチユニット２２０は、多穴パンチ処理を行うためのユニットである。第１パンチユニット２２０は、プリンタ部１２３から排出されたシートを第１パンチユニット２２０内へ受け入れるための入口搬送ローラ２２２を有する。第１パンチユニット２２０内に搬送されたシートは、フラッパ２２３の切り換え動作に応じて、排出ローラ２２４へ向けて搬送されるか、又は搬送ローラ２２５へ向けて搬送される。ここで、シートがフラッパ２２３により排出ローラ２２４へ向けて搬送される場合は、シートが第１パンチユニット２２０をスルーして直接、ステイプルスタッカ部２２１へ搬送される場合である。また、シートがフラッパ２２３により搬送ローラ２２５へ向けて搬送される場合は、シートに対して多穴パンチ処理が施される場合である。
【００１５】
搬送ローラ２２５の下流側には、搬送ローラ２２６、センサ２２７、パンチ部２２８及び突き当て板２２９が設けられている。センサ２２７は、シートの先端を検知するためのセンサである。パンチ部２２８は、シート先端（シートの搬送方向に対して先端となる部位）に多数個の穴例えば３０個の穴をあける多穴パンチ処理を行う。突き当て板２２９は、通常時、シート搬送路を開放する位置にある。突き当て板２２９は、所定のタイミングでπ／２（ｒａｄ）角度的に回転され、シート先端と突き当て可能なようにシート搬送路上に突出する。この突き当て板２２９にシート先端を突き当てることにより、シートをパンチ部２２８に対して所定の精度で位置決めすることができる。
突き当て板２２９の下流側には、各搬送ローラ２３０〜２３３が設けられ、各搬送ローラ２３０〜２３３により、シートを排出ローラ２２４へ導くための搬送路が形成される。
ステイプルスタッカ部２２１は、第１パンチユニット２２０から排出されたシートをユニット内へ受け入れるための入口ローラ２３４を有する。入口ローラ２３４を介してステイプルスタッカ部２２１内へ搬送されたシートは、第２パンチユニット２３５へ導かれる。
【００１６】
第２パンチユニット２３５は、少数穴パンチ処理が設定されている場合に、シート後端（シートの搬送方向に対して後端となる部位）に少数個の穴、例えば２〜４個の穴、をあける少数穴パンチ処理を行う。また、第２パンチユニット２３５は、少数穴パンチ処理が設定されていない場合、シートをスルーさせて下流側へ搬送するように動作する。この第２パンチユニット２３５内には、シート後端を検知するためのセンサ２３６、及びシート後端が突き当てられる突き当て板２３７が設けられている。
第２パンチユニット２３５が少数穴パンチ処理を行う際には、センサ２３６がシートの後端を検知した後の所定のタイミングで第２パンチユニット２３５内の搬送ローラが逆転される。また、突き当て板２３７がπ／２（ｒａｄ）角度的に回転され、搬送路上に突出する。そして、シートは突き当て板２３７に向けてスイッチバックされ、シート後端が突き当て板２３７に突き当てられた状態で停止される。このようにしてシートが後端を基準にして位置決めされた状態で、シート後端に対して少数個の穴があけられる。その後、シートは上記搬送ローラによりフラッパ２３８へ向けて搬送される。
フラッパ２３８は、シートをノンソートパス２３９又は搬送ローラ２４０へ導くように切り換え動作を行う。ここで、ソート、パンチ、ステイプル処理等の後処理が設定されておらずシートをそのまま排出する場合は、フラッパ２３８により、シートがノンソートパス２３９へ導かれる。ノンソートパス２３９へ導かれたシートは、搬送ローラ２４１により、スタックトレイ２４２へ排出される。
【００１７】
シートに対してソート及びステイプル等の後処理が設定されている場合、プリンタ部１２３は、シートをフェイスダウン状態でフィニッシャ部１２６へ排出する。そして、フィニッシャ部１２６内に搬入されたシートは第１パンチユニット２２０を経てステイプルスタッカ部２２１へ搬送された後に、フラッパ２３８により、搬送ローラ２４０へ導かれる。次いで、シートは搬送ローラ２４０により、束排紙ベルト２４３上へ排出される。ここで、束排紙ベルト２４３に並行して数ミリ高い位置には、低摩擦の中間処理トレイが設けられており、実際にはシートは、中間処理トレイ上に排出される。排出されたシートは、中間処理トレイ（束排紙ベルト２４３）に沿って自重で右下方向に落下する。さらに、扇形の戻しローラ２４４が反時計方向に回転し、その外縁部に設けられた摩擦部材がシートに当接する。この摩擦部材の当接により、シートには右下方向に落下させる力が作用し、シートの端部がストッパ板２４５に突き当てられる。これにより、シートに対して縦方向（送り方向）の揃えが行われる。
【００１８】
また、中間処理トレイ上には、その手前側と奥側とのそれぞれに位置する整合板２４６が設けられている。各整合板２４６は、中間処理トレイ上にシートが排出される毎に駆動される。これにより、中間処理トレイ上のシートに対して横方向（幅方向）へ揃えが行われる。
そして、所定枚数のシートが中間処理トレイ上に排出されて積載されると、束排紙ベルト２４３が駆動され、シートがスタックトレイ２４２又は２４７上へ排出される。また、ステイプルモードが設定されている場合、ステイプルを行う一束分のシートが中間処理トレイ上に排出され、整合板２４６によりシートの横方向への揃えが行われる。その後、ステイプルユニット２４８が駆動されてシート束が綴じられ、綴じられたシート束は、束排紙ベルト２４３によりスタックトレイ２４２又は２４７上へ排出される。ここで、各スタックトレイ２４２、２４７は昇降動作可能に構成されている。また、各スタックトレイ２４２、２４７には、シートの有無を検知するためのセンサ２５０、２４９が設けられている。
また、ステイプルユニット２４８は、シート後端の奥側位置を綴じる「コーナー綴じ」、シート後端を２箇所で綴じる「ダブル綴じ」を行うことが可能である。シートに対する綴じ位置は、ユーザーにより設定される。
【００１９】
（操作部の構成）
図３は、操作部１２１の配置構成例を示す図である。スタートキー３０１は、スキャナ部１２２によるスキャン開始指示及びプリンタ部１２３又はフィニッシャ部１２６による印刷開始を受け付けるキーである。クリア／ストップキー３０２は、装置が待機中はクリアキー、ジョブ実行中はストップキーの機能を有する。テンキー３０３は、数字を入力することが可能である。ユーザーモードキー３１３は、複合機１００の設置を行うユーザーモード画面に遷移することが可能である。ショートカット表示領域３１４は、機能共通で利用できるショートカットボタンの表示領域である。ステータス通知領域３１５は、デバイス、又はジョブの状態を通知する領域である。機能画面領域３０４は、コピー及びファックス送信等を実行する際に各種設定を行うための画面を表示する機能画面領域であり、コピー機能画面を例に説明する。機能画面領域３４０は、画像形成に係る設定を行う機能画面領域の一例である。用紙選択キー３０５は、印刷出力する用紙を給紙段、又は自動用紙選択から選択する。等倍キー３０６は、等倍で印刷出力する場合に指定する。ズームキー３０７は、任意の倍率を指定することが可能である。カラーモード選択キー３０８は、印刷出力するカラーモードと選択することが可能である。ショートカットキー３０９〜３１２は、様々な処理に対応するキーを設定可能なショートカットキーである。例えば、ショートカットキーには、仕上げ設定、両面モード、濃度設定、原稿の種類等を設定することができる。
【００２０】
（印刷処理と用紙無し状態の解消手段）
図４は、実施形態１の用紙無し状態解消処理の一例を示すフローチャートである。用紙無し状態解消処理は、情報処理の一例である。Ｓ４０１〜Ｓ４１４は各ステップを表す。各ステップの処理は複合機１００のＣＰＵ１０１がＲＯＭ１０３又はＨＤＤ１０４に記憶されたプログラムを実行することにより実現される。複合機１００の電源がＯＮになり、複合機１００のＣＰＵ１０１がＲＯＭ１０３又はＨＤＤ１０４が起動するとコントローラ１２５はＳ４０１で印刷実行指示の待機状態となる。Ｓ４０１において、ＣＰＵ１０１は、印刷実行指示（プリント実行指示）を受信したか否かを判定する。ＣＰＵ１０１は、印刷実行指示を受信していないと判定した場合はＳ４０１の処理に戻り、印刷実行指示を受信したと判定した場合はＳ４０２に進む。
Ｓ４０２において、ＣＰＵ１０１は、プリンタ部１２３に印刷実行指示を行い、ジョブの印刷を開始する。複合機１００でのコントローラ１２５への印刷実行指示は、例えばコピーの場合は機能画面領域３０４に表示したスタートキー３０１で行う。他の機器からの印刷実行指示はＮｅｔｗｏｒｋ  Ｉ／Ｆ１０６を介してＬＡＮやＷＡＮ１２４から行う。
【００２１】
Ｓ４０３において、ＣＰＵ１０１は、ジョブの印刷状態と各用紙格納部の用紙量とを監視する。ＣＰＵ１０１は、用紙無し状態になっていない場合、用紙無し状態解消処理を終了し、用紙無し状態になった場合、Ｓ４０４に進む。
Ｓ４０４において、ＣＰＵ１０１は、認証処理部１１９に対して認証状態を問い合わせ、ログイン済みかどうかを判定する。ＣＰＵ１０１は、ログイン状態であると判定した場合、Ｓ４０５に進み、ログイン状態でないと判定した場合、Ｓ４０７に進む。
Ｓ４０７において、ＣＰＵ１０１は、図５に示す用紙無し画面５００を操作部１２１に表示する。そして、ＣＰＵ１０１は、Ｓ４０８以降の処理を行う。用紙無し画面５００において、５０１〜５０３は給紙段選択ボタンである。ユーザーは、このボタンを選択することで強制給紙する給紙段を選択することができる。ユーザーは、給紙段選択ボタン５０１〜５０３の何れかを選択し、ＯＫボタン５０４を選択することで強制給紙を指示することができる。５０５は中止ボタンである。ユーザーは、このボタンを選択することで用紙なし中断中のジョブを中止することができる。図６は、ジョブ状況を表示する画面の一例を示す図である。ジョブ状況画面６０１は複合機１００が実行しているジョブの状態及び履歴等をユーザーが確認できる画面である。ジョブ状況画面呼び出しボタン６０２はジョブ状況画面６０１を呼び出すためのボタンであり、ショートカット表示領域３１４に表示される。したがって、ユーザーは、例えばコピー機能を利用中でもジョブ状況画面呼び出しボタン６０２を選択することによって、ワンボタンでジョブ状況画面６０１画面を表示することができる。
【００２２】
Ｓ４０５において、ＣＰＵ１０１は、ステータス通知領域３１５にジョブ状況画面へ誘導する文言７０１を表示する。一例を図７に示す。ＣＰＵ１０１は、ジョブ状況画面へ誘導する文言７０１をステータス通知領域３１５に表示する。そのため、ログイン中のユーザーは継続して機能画面領域３０４を操作することができる。Ｓ４０５の処理は、表示制御の処理の一例である。
Ｓ４０６において、ＣＰＵ１０１は、ユーザーがジョブ状況画面呼び出しボタン６０２を選択したか否かを判定する。ＣＰＵ１０１は、ユーザーがジョブ状況画面呼び出しボタン６０２を選択したと判定した場合、Ｓ４０７に進み、ユーザーがジョブ状況画面呼び出しボタン６０２を選択していないと判定した場合、Ｓ４０６の処理を繰り返す。ユーザーがジョブ状況画面呼び出しボタン６０２を選択する操作は、用紙無し画面へ誘導するための情報に応じた所定の操作の一例である。
Ｓ４０７において、ＣＰＵ１０１は、用紙無し画面５００を操作部１２１に表示する。Ｓ４０７の処理は、表示制御の処理の一例である。
Ｓ４０８において、ＣＰＵ１０１は、イベントを待機する。
Ｓ４０９において、ＣＰＵ１０１は、受信したイベントが操作部イベントかどうか判定する。ＣＰＵ１０１は、操作部イベントと判定した場合、Ｓ４１２に進み、操作部イベントでないと判定した場合、Ｓ４１０に進む。
【００２３】
Ｓ４１２において、ＣＰＵ１０１は、受信した操作部イベントが強制給紙要求か中止要求かを判定する。ＣＰＵ１０１は、操作部イベントが強制給紙要求であると判定した場合、Ｓ４１４に進み、操作部イベントが中止要求であると判定した場合、Ｓ４１３に進む。
Ｓ４１３において、ＣＰＵ１０１は、プリンタ部１２３に対してカセット２０８、２０９、手差し給紙トレイ２１０の何れから給紙するのかを、図８の給紙段選択ボタン８０１〜８０３により選択された給紙段に従ってプリンタ部１２３に通知する。Ｓ４１１において、ＣＰＵ１０１は、用紙無し画面５００をクローズする。そして、ＣＰＵ１０１は、Ｓ４０２に戻る。
Ｓ４１４において、ＣＰＵ１０１は、プリンタ部１２３に対し用紙なしエラーにより中断しているジョブの中止要求を行う。Ｓ４１５において、ＣＰＵ１０１は、用紙無し画面５００をクローズする。そして、ＣＰＵ１０１は、用紙無し状態解消処理を終了する。
Ｓ４１０において、ＣＰＵ１０１は、受信したイベントが用紙補給検知かどうか判定する。ＣＰＵ１０１は、受信したイベントが用紙補給検知であると判定した場合、Ｓ４１１に進み、受信したイベントが用紙補給検知でないと判定した場合、Ｓ４０８に戻る。
Ｓ４１１において、ＣＰＵ１０１は、用紙無し画面５００をクローズする。そして、ＣＰＵ１０１は、Ｓ４０２の処理に戻る。
【００２４】
以上の実施形態で説明した処理により、認証状態に応じて、用紙無し画面表示とステータスライン行の切り替えとを行うことにより、ログイン状態の場合は画面操作を妨げず、ログイン状態でない場合はすぐに用紙無し状態に気づくことができる。
【００２５】
＜実施形態２＞
図８は、実施形態１の用紙無し状態解消処理の一例を示すフローチャートである。Ｓ４０１において、ＣＰＵ１０１は、印刷実行指示を受信したと判定した場合、Ｓ８０１に進む。Ｓ８０１において、ＣＰＵ１０１は、認証処理部１１９にあるデータを用いてプリンタ部１２３にオーナー情報付きのプリントジョブの印刷実行指示を行い、ジョブの印刷を開始する。プリントジョブは認証処理部１１９にあるデータを用いてユーザー情報と紐づいてコントローラ１２５内で管理される。
Ｓ４０４において、ＣＰＵ１０１は、ログイン中であると判定した場合、Ｓ８０２に進む。Ｓ８０２において、ＣＰＵ１０１は、認証処理部１１９にログインユーザーのユーザー情報とジョブオーナーのユーザー情報とが同一かを問い合わせる。ＣＰＵ１０１は、問い合わせの結果、同一であると判定した場合、Ｓ４０５に進み、同一でないと判定した場合、Ｓ４０７に進む。
Ｓ４０５において、ＣＰＵ１０１は、ステータスラインによる通知を行う。Ｓ４０７において、ＣＰＵ１０１は、用紙無し画面５００を表示する。
【００２６】
以上の実施形態で説明した処理により、自分の投入したジョブが用紙無し状態で中断している場合はすぐに用紙無し状態に気づくことができる。また、ログインユーザーとジョブオーナーとが違う場合は画面操作を妨げることはない。
【００２７】
＜その他の実施形態＞
本発明は、上述の実施形態の１以上の機能を実現するプログラムを、ネットワーク又は記憶媒体を介してシステム又は装置に供給する。そして、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００２８】
以上、本発明の実施形態の一例について詳述したが、本発明は係る特定の実施形態に限定されるものではない。
【００２９】
以上、上述した各実施形態の処理によれば、ログイン状態の場合は画面操作を妨げず、ログイン状態でない場合はすぐに用紙無し状態を気付かせることができる。
【符号の説明】
【００３０】
１００  複合機
１０１  ＣＰＵ
１０４  ＨＤＤ
【図１】
2020137002.tif 000003
【図２】
2020137002.tif 000004
【図３】
2020137002.tif 000005
【図４】
2020137002.tif 000006
【図５】
2020137002.tif 000007
【図６】
2020137002.tif 000008
【図７】
2020137002.tif 000009
【図８】
2020137002.tif 000010